(57)【特許請求の範囲】
【請求項１】
一端がコネクタ取付口となり内側に回路基板を収容する枠状体と、該枠状体の両面をそれぞれ施蓋する２枚のパネルと、前記枠状体のコネクタ取付口に設けられ、前記回路基板をパーソナルコンピュータに接続するコネクタと、前記２枚のパネルのうち一方のパネルと該コネクタとの間に挟持して設けられ、前記回路基板のグランドをパーソナルコンピュータのグランドに接続するグランド電極とを備えてなるＰＣカードにおいて、前記一方のパネルには前記コネクタと対向する位置に接着膜を設け、前記グランド電極には、前記一方のパネルに設けた前記接着膜を前記コネクタに導く導通路を設けたことを特徴とするＰＣカード。
【請求項２】
前記グランド電極は、前記コネクタの長さ方向に沿って延びる平板部と、該平板部に切込みを入れることによって形成されパーソナルコンピュータ側のカードスロットに挿入するときにばね性を与える複数個のばね性突起とから構成し、前記導通路は、前記平板部のうち隣り合うばね性突起間の平坦面に設けてなる請求項１記載のＰＣカード。
【請求項３】
前記グランド電極は、前記コネクタの長さ方向に沿って延びる平板部と、該平板部に形成された複数個の突起とから構成とし、前記導通路は、前記平板部のうち隣り合う突起間の平坦面に設けてなる請求項１記載のＰＣカード。
【請求項４】
前記一方のパネルに設けられた接着膜には、前記グランド電極の導通路に対応した位置に突出部を有してなる請求項１，２または３記載のＰＣカード。
【請求項５】
一端がコネクタ取付口となり内側に回路基板を収容する枠状体と、該枠状体の両面をそれぞれ施蓋する２枚のパネルと、前記枠状体のコネクタ取付口に設けられ、前記回路基板をパーソナルコンピュータに接続するコネクタと、前記２枚のパネルのうち一方のパネルと該コネクタとの間に挟持して設けられ、前記回路基板のグランドをパーソナルコンピュータのグランドに接続するグランド電極とを備えてなるＰＣカードにおいて、前記コネクタには前記一方のパネルと対向する位置に接着膜を設け、前記グランド電極には、前記コネクタに設けた前記接着膜を前記一方のパネルに導く導通路を設けたことを特徴とするＰＣカード。
【発明の詳細な説明】
【０００１】
【発明の属する技術分野】
本発明は、例えばパーソナルコンピュータの機能を拡張するために、パーソナルコンピュータのカードスロットに装着されるＰＣカードに関する。
【０００２】
【従来の技術】
一般に、パーソナルコンピュータは、演算機能、記憶機能等を備えたコンピュータ本体と、該コンピュータ本体に信号を入力するキーボードと、前記コンピュータ本体内のメモリを記憶するフロッピィディスク等からなる記憶装置と、プログラム、演算結果等を表示するディスプレイとから大略構成されている。
【０００３】
また、パーソナルコンピュータには、コンピュータ本体に内蔵したメモリの拡張、モデムの増設、外付のＣＤ−ＲＯＭドライブやハードディスクとのＩＤＥインターフェース等を行うため、ＰＣカードを後から付加的に装着できるカードスロットが設けられている。さらに、このＰＣカードの大きさ、形状は、ＰＣカードスタンダードやＪＥＩＤＡ（日本電子機械工業）の規格によって規定されている。
【０００４】
一方、パーソナルコンピュータは、その処理速度を高めるため、演算処理の情報量が１６ビット（低ビット）から３２ビット（高ビット）に移りつつあり、ＰＣカードの形状も、１６ビット用ＰＣカードと３２ビット用ＰＣカードとに区別されている。また、パーソナルコンピュータ側のカードスロットも同様に、１６ビット用カードスロットと３２ビット用カードスロットに大別される。
【０００５】
しかも、パーソナルコンピュータでは、低消費電力化のため、コンピュータ本体内の駆動電圧は、通常１６ビット用ＰＣカードは駆動電圧が５．０Ｖであるのに対し、３２ビット用ＰＣカードは３．３Ｖに設定されている。また、駆動電圧を５．０Ｖから３．３Ｖに下げることにより、ＰＣカードとコンピュータ本体との信号の送信、受信を確実にするため、３２ビット用ＰＣカードとカードスロットには、グランド接続を強化する複数個の突起が形成されたグランド電極が設けられている。
【０００６】
また、ＰＣカードの挿入方向左側には、ＰＣカードの表裏の差し間違いを防止すると共に、１６ビット用ＰＣカードか、３２ビット用ＰＣカードかを区別するためのカード側キー溝が形成されている。そして、このカード側キー溝は、１６ビット用ＰＣカードの方が３２ビット用ＰＣカードよりも広い幅寸法に形成されている。
【０００７】
このカード側キー溝の幅寸法の相違により、１６ビット用ＰＣカードは、１６ビット用カードスロットに装着できるだけでなく、３２ビット用カードスロットにも装着することができる。一方、３２ビット用ＰＣカードは、３２ビット用カードスロットに装着できるものの、１６ビット用カードスロットには装着できないようにしていた。この結果、３２ビット用ＰＣカードのカードスロットに設けたグランド電極の各突起が、この突起を受承する部分のない１６ビット用カードスロットに装着されるのを防止し、グランド電極とカードスロットのカード挿入穴等の保護を図っていた。
【０００８】
ここで、この種の３２ビット用ＰＣカードとしては、特開平９−５８１６３号公報等に示すものが知られている。
【０００９】
この従来技術によるＰＣカードは、一端がコネクタ取付口となり内側に回路基板を収容する枠状体と、該枠状体の両面をそれぞれ施蓋する２枚のパネルと、前記枠状体のコネクタ取付口に設けられ、前記回路基板をパーソナルコンピュータに接続するコネクタと、前記２枚のパネルのうち一方のパネルと該コネクタとの間に挟持して設けられ、前記回路基板のグランドをパーソナルコンピュータのグランドに接続するグランド電極とを備えている。
【００１０】
また、一方のパネルには、コネクタ取付口の位置に複数個の突起収容孔を穿設すると共に、前記グランド電極は、前記コネクタの長さ方向に沿って延びる平板部と、該平板部に形成され前記パネルの各突起収容孔からそれぞれ突出される突起とから構成されている。さらに、パネルの内面には接着膜が設けられているから、グランド電極の突起をパネルの突起収容孔から突出させた状態で、パネルとグランド電極を接着膜によって接合していた。
【００１１】
【発明が解決しようとする課題】
ところで、上述した従来技術によるＰＣカードでは、グランド電極は２枚のパネルのうち一方のパネルに対して接着しているものの、コネクタに対しては固定されておらず、グランド板の平板部の平面度が悪い場合、パネルのうちコネクタ取付口側に対応した部位の平面度が悪い場合、またはグランド電極、コネクタ等の個々の部品の製造誤差があった場合等には、グランド電極の中央部がコネクタから浮いてしまうという問題がある。
【００１２】
また、カードスロットに対してＰＣカードを着脱するときに、ケーシングのコネクタ取付口にねじり強度等が加わった場合にも、グランド電極の中央部がコネクタから浮いてしまうという問題があった。
【００１３】
本発明は上述した従来技術の問題に鑑みなされたもので、本発明はグランド電極を含んで一方のパネルとコネクタとを密着性を高めて固定することにより、耐久性と信頼性を高めることのできるＰＣカードを提供することを目的としている。
【００１４】
【課題を解決するための手段】
上述した課題を解決するために、請求項１の発明が採用するＰＣカードは、一端がコネクタ取付口となり内側に回路基板を収容する枠状体と、該枠状体の両面をそれぞれ施蓋する２枚のパネルと、前記枠状体のコネクタ取付口に設けられ、前記回路基板をパーソナルコンピュータに接続するコネクタと、前記２枚のパネルのうち一方のパネルと該コネクタとの間に挟持して設けられ、前記回路基板のグランドをパーソナルコンピュータのグランドに接続するグランド電極とを備えてなるＰＣカードにおいて、前記一方のパネルには前記コネクタと対向する位置に接着膜を設け、前記グランド電極には、前記一方のパネルに設けた前記接着膜を前記コネクタに導く導通路を設けたことを特徴としている。
【００１５】
このような構成とすることにより、一方のパネルに設けられた接着膜は、グランド電極の導通路を通してコネクタ側に導かれ、グランド電極を含んで一方のパネルとコネクタとを密着性を高めた状態で接合でき、コネクタに対してグランド電極が浮き上がるのを防止することができる。
【００１６】
請求項２の発明では、グランド電極を、コネクタの長さ方向に沿って延びる平板部と、該平板部に切込みを入れることによって形成されパーソナルコンピュータ側のカードスロットに挿入するときにばね性を与える複数個のばね性突起とから構成し、前記グランド電極に設けた導通路を、前記平板部のうち隣り合うばね性突起間の平坦面に設けたことにある。
【００１７】
このように構成することにより、隣り合うばね性突起間の平坦面に形成した接着膜は、各ばね性突起の動作を規制することなく、導通路を通して一方のパネル、グランド電極、コネクタを固定することができる。
【００１８】
請求項３の発明では、グランド電極を、コネクタの長さ方向に沿って延びる平板部と、該平板部に形成された複数個の突起とから構成とし、導通路を、前記平板部のうち隣り合う突起間の平坦面に設けたことにある。
【００１９】
このように構成することにより、隣り合う突起間の平坦面に形成した接着膜は、導通路を通して一方のパネル、グランド電極、コネクタを接合することができる。
【００２０】
請求項４の発明では、一方のパネルに設けられた接着膜に、グランド電極の導通路に対応した位置に突出部を有している。
【００２１】
このように構成することにより、接着膜の突出部先端をグランド電極の導通路を通してコネクタ側まで浸入させることができ、該接着膜はグランド電極を含んで一方のパネルとコネクタを密着性を高めた状態で固定することができる。
【００２２】
請求項５の発明では、コネクタに一方のパネルと対向する位置に接着膜を設け、グランド電極に前記コネクタに設けた接着膜を一方のパネルに導く導通路を設けたことにある。
【００２３】
このような構成とすることにより、コネクタに設けられた接着膜は、グランド電極の導通路を通して一方のパネル側に導かれ、グランド電極を含んでコネクタと一方のパネルとを密着性を高めた状態で接合でき、コネクタに対してグランド電極が浮き上がるのを防止することができる。
【００２４】
【発明の実施の形態】
以下、本発明に係る実施の形態を、図１ないし図１８を参照しつつ詳細に説明する。まず、図１ないし図６に基づいて、第１の実施の形態によるＰＣカードについて述べる。
【００２５】
１は本実施の形態による１６ビットと３２ビットの両方に対応し得るＰＣカード、２は該ＰＣカード１の外形をなし薄板状に形成されたケーシングで、該ケーシング２は、上，下が開口した薄形の枠状体３と、該枠状体３の上側開口を施蓋し、矩形状の膨らみ部４Ａを有する上パネル４と、前記枠状体３の下側開口を施蓋し、同じく矩形状の膨らみ部５Ａを有する下パネル５（図４参照）とから構成され、内部に基板収容空間６を形成している。
【００２６】
ここで、枠状体３は、図２に示す如く、コ字状の枠部３Ａと、該枠部３Ａの先端側を連結する梁部３Ｂと、該梁部３Ｂよりも前記枠部３Ａの先端に位置して形成されたコネクタ取付口３Ｃとによって構成され、前記梁部３Ｂには後述する複数の突起受承部９が形成されている。
【００２７】
また、コネクタ取付口３Ｃには後述のカード側コネクタ１３が取付けられ、上パネル４のコネクタ取付口３Ｃ部位の両側には枠状体３の係止溝に係止される係止爪４Ｂ，４Ｂ（一方のみ図示）が形成されている。なお、図１中の矢印ＡはＰＣカード１の挿入方向を示している。
【００２８】
７はケーシング２の基板収容空間６内に収容された回路基板で、該回路基板７上には、駆動電圧３．３Ｖを用いる３２ビットに対応するのみでなく、駆動電圧５．０Ｖを用いる１６ビットの両方に対応するように設定された回路を構成する電子部品８が実装されている。
【００２９】
なお、駆動電圧３．３Ｖを用いる３２ビットに対応する回路と、駆動電圧５．０Ｖを用いる１６ビットに対応する回路とは、切換スイッチ（図示せず）等の手段によって、ＰＣカードが装着されるパーソナルコンピュータに合わせて切換えられるものである。
【００３０】
９，９，…は後述するばね性突起１５の先端を受承する突起受承部で、該各突起受承部９は、枠状体３の梁部３Ｂに所定間隔を離間して８個の凹陥部として形成している。また、枠状体３を同一の材料によって形成した場合には、各突起受承部９は枠状体３と一体形成することができる。
【００３１】
１０，１０，…は上パネル４のうちコネクタ取付口３Ｃ側に位置した部位に穿設された複数個の突起収容孔で、該各突起収容孔１０は矩形状に形成され、該各突起収容孔１０を通して後述するグランド電極１４のばね性突起１５が突出されている。
【００３２】
１１はＰＣカード１の挿入方向左側に形成されたカード側キー溝で、該カード側キー溝１１は枠状体３のうち、コネクタ取付口３Ｃ近傍の側壁の挿入方向左側に位置して、枠状体３の上面を切欠くことにより形成されている。そして、カード側キー溝１１は、規格によって規定された１６ビット用ＰＣカードのカード側キー溝と同じ溝幅寸法ｄ1 に形成されている。
【００３３】
１２はＰＣカード１の挿入方向右側に形成されたガイド溝部で、該ガイド溝部１２は枠状体３のうちコネクタ取付口３Ｃの近傍で、挿入方向右側に位置して枠状体３の側壁を溝加工することにより形成されている。そして、ガイド溝部１２は規格によって定められた溝幅寸法ｄ0 に形成されている。
【００３４】
１３は枠状体３のコネクタ取付口３Ｃに設けられた長尺なカード側コネクタで、該カード側コネクタ１３は、樹脂材料によって長尺に形成された矩形状体１３Ａと、該矩形状体１３Ａの前面から後面に向け、縦に２個、横に３４個の配置で合計６８個が形成されたピン穴１３Ｂと、基端側が該各ピン穴１３Ｂの奥部に位置し、先端側が矩形状体１３Ａの後面から突出して回路基板７に接続された端子ピン１３Ｃとから構成されている。
【００３５】
１４はカード側コネクタ１３の上面に取付けられるグランド電極で、該グランド電極１４は、図２ないし図４に示すように、導電性の金属板によって形成され、カード側コネクタ１３の長さ方向に沿って延びる平板部１４Ａと、該平板部１４Ａから回路基板７側のグランドに向けて延びる複数本（例えば、８本）のグランド端子１４Ｂと、前記平板部１４Ａに形成され、グランド端子１４Ｂと反対側の一辺、即ち回路基板７と反対側の一辺を除く三辺を切込むことにより形成された複数個（例えば、８個）の舌片１４Ｃと、前記平板部１４Ａに対して９０度未満の角度をもって左右に形成された取付片１４Ｄとから構成されている。そして、前記各舌片１４Ｃは長さ方向を折曲げることにより後述するばね性突起１５として形成されている。また、各取付片１４Ｄは、カード側コネクタ１３の矩形状体１３Ａをコネクタ取付口３Ｃに取付けたときに形成される隙間内に挿入されることにより、グランド電極１４の位置決めを行っている。
【００３６】
また、グランド電極１４の平板部１４Ａのうち隣り合うばね性突起１５間が平坦面１４Ｅ，１４Ｅ，…となり、グラント電極１４をカード側コネクタ１３に取付けたとき、該各平坦面１４Ｅに対向する上パネル４の内面には、後述する上パネル側接着膜１７が設けられている。
【００３７】
１５，１５，…はグランド電極１４の平板部１４Ａ上に形成され、突起収容孔１０を通してそれぞれ突出した例えば８個の板状のばね性突起で、該各ばね性突起１５は、前記グランド電極１４の平板部１４Ａに形成した舌片１４Ｃの途中を折曲げて略へ字状に形成している。また、各舌片１４Ｃの先端、即ちばね性突起１５の先端は自由端となり、常時は上パネル４の下面に付勢され、ばね性突起１５が外力によって上側から押圧されると、ばね性突起１５の先端は枠部３Ｂの突起受承部９に受承される。
【００３８】
１６，１６，…は導通路としての導通孔で、該各導通孔１６は、グランド電極１４の平板部１４Ａのうち隣り合うばね性突起１５間に位置した平坦面１４Ｅに形成されている。そして、該各導通孔１６は後述する上パネル側接着膜１７の接着剤をカード側コネクタ１３の上面に導かせるものである。
【００３９】
１７，１７，…は上パネル４のうちカード側コネクタ１３側に位置した部位の内面に予め設けた上パネル側接着膜で、該各上パネル側接着膜１７は、グランド電極１４の各平坦面１４Ｅに対応する部分、即ち各ばね性突起１５を避けた部分に接着剤をスクリーン印刷することによって形成されている。また、該各上パネル側接着膜１７は、熱を加えることにより融着する接着剤（例えば、ゴム系接着剤，アクリル系接着剤等）によって形成されているから、ホットプレスによって加熱圧締を行うことにより、上パネル４の内面とグランド電極１４の平板部１４Ａと、各導通孔１６を通してカード側コネクタ１３の矩形状体１３Ａ上面とを密着性を高めて接合するものである。
【００４０】
１８は下パネル５のうちカード側コネクタ１３側に位置した部位の内面に予め設けた下パネル側接着剤で、該下パネル側接着膜１８は、上パネル側接着膜１７と同じ接着剤をスクリーン印刷することによって形成されている。そして、該下パネル側接着膜１８は、矩形状体１３Ａの下面と下パネル５の内面と、矩形状体１３Ａの下面と回路基板７とを固定するものである。
【００４１】
本実施の形態によるＰＣカード１は、上述の如き構成を有するもので、次にこのＰＣカード１を組立てるときには、図２に示すように、カード側コネクタ１３をコネクタ取付口３Ｃに取付けた状態で、グランド電極１４の各取付片１４Ｄをカード側コネクタ１３の両側から挟持するように組付け、グランド電極１４の各グランド端子１４Ｂを回路基板７に半田付けする（図４参照）。その後、グランド電極１４の各ばね性突起１５を上パネル４の各突起収容孔１０内に挿通して合わせ、上パネル４を枠状体３に取付ける。一方、枠状体３の下側にも下パネル５を取付ける（図４参照）。
【００４２】
そして、ケーシング２のうち、コネクタ取付口３Ｃを含む輪郭をホットプレスによって加熱圧締することにより、上パネル側接着膜１７、下パネル側接着膜１８を融着させる。そして、上パネル側接着膜１７は上パネル４内面をグランド電極１４の平板部１４Ａ上面に固着し、下パネル側接着膜１８は下パネル５内面を矩形状体１３Ａの下面に固着する。
【００４３】
このとき、上パネル側接着膜１７は、図５、図６に示すように、加熱圧締によって各導通孔１６を通してカード側コネクタ１３の矩形状体１３Ａ上面まで導かれ、該上パネル側接着膜１７はグランド電極１４を挟んでカード側コネクタ１３と上パネル４とを密着性を高めて確実に固定することができる。これにより、ＰＣカード１をカードスロットに対して着脱するときに、コネクタ取付口３Ｃにねじり強度等が加わった場合でも、グランド電極１４がカード側コネクタ１３から浮くのを防止することができる。この結果、ＰＣカード１の耐久性を高め信頼性を向上することができる。
【００４４】
また、カード側コネクタ１３は、ＰＣカード１の挿入側に当たり、厚さ規制の厳しい場所でもある。しかも、カード側コネクタ１３の上側には、グランド電極１４と上パネル４とが二重構造となっているため、本実施の形態のように加熱圧締によって接着することにより、上パネル側接着膜１７は、その接着剤がつぶれて広がり接着力を高めると共に、接着膜１７の膜厚を薄くし、結果的にコネクタ取付口３Ｃ部分の厚さを薄くできる。これにより、ＰＣカード１をカードスロットに着脱するとき、上パネル４、グランド電極１４等がカードスロット側にひっかかるのを確実に低減し、よりＰＣカード１の信頼性を高めることができる。
【００４５】
さらに、各上パネル側接着膜１７と下パネル側接着膜１８はスクリーン印刷によって容易に設けることができる。また、接着膜１７はスクリーン印刷によって設けられているから、膜厚の調整は容易に行うことができ、本実施の形態では予め上パネル４に設けた上パネル側接着膜１７を若干厚くしているから、各導通孔１６内に上パネル側接着膜１７を導くことができる。
【００４６】
かくして、本実施の形態によるＰＣカード１では、上パネル４のうちカード側コネクタ１３に位置した部位に上パネル側接着膜１７を形成すると共に、グランド電極１４には該上パネル側接着膜１７の接着剤をカード側コネクタ１３側に導かせる導通孔１６を形成することにより、グランド電極１４を挟んで上パネル４とカード側コネクタ１３とを密着性を高めて固定することができ、グランド電極１４がカード側コネクタ１３から浮くのを防止する。この結果、カードスロットに対してＰＣカード１を着脱するとき、該ＰＣカード１がカードスロット側に引っかかるのを防止し、当該ＰＣカード１は、その寿命を延ばし、信頼性を高めることができる。
【００４７】
また、グランド電極１４に複数個のばね性突起１５を形成することにより、ＰＣカード１は、１６ビット用カードスロット、３２ビット用カードスロットに装着可能となり、１６ビットと３２ビットとの両方に兼用することができる。
【００４８】
次に、図７ないし図１０に基づいて、本発明に係る第２の実施の形態について説明するに、本実施の形態の特徴は、グランド電極に従来技術と同様の複数の突起を形成したものである。なお、本実施の形態では、前述した第１の実施の形態と同一の構成要素に同一の符号を付し、その説明を省略するものとする。
【００４９】
２１は３２ビットに対応し得るＰＣカード、２２は該ＰＣカード２１の外形をなし薄板状に形成されたケーシングで、該ケーシング２２は、ＰＣカード１のケーシング２とほぼ同様に、枠状体２３と、該枠状体２３の上側開口に設けられ、矩形状の膨らみ部２４Ａを有する上パネル２４と、前記枠状体２３の下側開口に設けられ、矩形状の膨らみ部２５Ａを有する下パネル２５（図９参照）とから構成され、内部には回路基板７を収容する基板収容空間２６が形成されている。
【００５０】
ここで、枠状体２３は、図８に示す如く、コ字状の枠部２３Ａと、該枠部２３Ａの先端側を連結する梁部２３Ｂと、該梁部２３Ｂよりも前記枠部２３Ａの先端に位置して形成されたコネクタ取付口２３Ｃとによって構成されている。なお、図７中の矢印ＡはＰＣカード２１の挿入方向を示している。
【００５１】
そして、上パネル２４のうちカード側コネクタ１３側の部位には円状の複数個の突起収容孔２７が穿設され、該各突起収容孔２７を通して後述するグランド電極２９の突起２９Ｃが突出される。
【００５２】
また、ＰＣカード２１の挿入方向左側にはカード側キー溝２８が形成され、該カード側キー溝２８は規格によって規定された３２ビット用ＰＣカードのカード側キー溝と同じ溝幅寸法ｄ2 （ｄ2 ＜ｄ1 ）に形成されている。
【００５３】
２９はカード側コネクタ１３の上面に取付けられるグランド電極で、該グランド電極２９は、図８、図９に示すように、平板部２９Ａと、該平板部２９Ａから延設される複数本のグランド端子２９Ｂと、前記平板部２９Ａに形成された複数個（例えば、８個）の突起２９Ｃとから構成され、平板部２９Ａのうち隣り合う突起２９Ｃ間が平坦面２９Ｄ，２９Ｄ，…となっている。また、各突起２９Ｃは上パネル２４の各突起収容孔２７を通して上側に向けて突出している。
【００５４】
３０，３０，…は導通路としての導通孔で、該各導通孔３０は、グランド電極２９の平板部２９Ａの各平坦面２９Ｄに位置して形成されている。そして、該各導通孔３０は後述する上パネル側接着膜３１の接着剤をカード側コネクタ１３の上面に導かせるものである。
【００５５】
３１は矩形状体１３Ａの上面に形成された上パネル側接着膜、３２は下パネル２５のうちカード側コネクタ１３側に位置した部位の内面に形成された下パネル側接着膜である。
【００５６】
そして、第１の実施の形態と同様に、ホットプレスによる加熱圧締を行うことにより、上パネル側接着膜３１は上パネル２４内面をグランド電極２９の平板部２９Ａ上面に固着し、下パネル側接着膜３２は下パネル２５内面を矩形状体１３Ａの下面に固着する。
【００５７】
このとき、上パネル側接着膜３１の接着剤は、図１０に示すように、加熱圧締によって各導通孔３０を通してカード側コネクタ１３の矩形状体１３Ａ上面まで導かれ、該上パネル側接着膜３１はグランド電極２９を挟んでカード側コネクタ１３と上パネル２４とを密着性を高めて確実に接合することができる。
【００５８】
このように構成されるＰＣカード２１においても、前述した第１の実施の形態と同様な作用効果を得ることができ、上パネル側接着膜３１と各導通孔３０によって、上パネル２４、グランド電極２９、カード側コネクタ１３を密着性を高めて固定でき、グランド電極２９の浮きを防止して、ＰＣカード２１の耐久性と信頼性を高めることができる。
【００５９】
また、本実施の形態によるＰＣカード２１は、カード側キー溝２８によって、３２ビット用カードスロットに装着できるものの、１６ビット用カードスロットには装着できないようにして、グランド電極２９の各突起２９Ｃがカードスロット側を損傷するのを防止し、３２ビット専用として使用することができる。
【００６０】
次に、図１１、図１２に基づいて、本発明に係る第３の実施の形態について説明するに、本実施の形態の特徴は、上パネル側接着膜４１に導通孔１６に対応した形状を有する突出部４１Ａを接着剤によって形成したものである。なお、本実施の形態では、前述した第１の実施の形態と同一の構成要素に同一の符号を付し、その説明を省略するものとする。
【００６１】
かくして、本実施の形態では、上パネル側接着膜４１に接着剤による厚膜な突出部４１Ａを形成したから、図１２に示すように、グランド電極１４を取付けたカード側コネクタ１３に上パネル４を設けた上で、ホットプレスによって加熱圧締を行うことにより、突出部４１Ａの先端は導通孔１６を通してカード側コネクタ１３の矩形状体１３Ａ上面まで達し、グランド電極１４を挟んで上パネル４とカード側コネクタ１３とをより強固に固定することができる。前述した第１の実施の形態と同様に、ＰＣカードの耐久性と信頼性を高めることができる。
【００６２】
なお、上パネル側接着膜に突出部を形成する手段としては、図１３、図１４に示す第１の変形例のように、上パネル４の下面にレジストによって凸状体４２を形成し、この上に接着剤を印刷することによって、突出部４３Ａを有する上パネル側接着膜４３を形成してもよい。
【００６３】
また、図１５、図１６に示す第２の変形例のように、予め上パネル４に下面側に突出する凹陥部４Ｃを形成し、この上に接着剤を印刷することによって、この凹陥部４Ｃの分だけ突出した突出部４４Ａを有する上パネル側接着膜４４を形成してもよい。
【００６４】
一方、図１７は第１の実施の形態に対応する第３の変形例を示すもので、この第３の変形例では、グランド電極１４の平板部１４Ａの端部に形成した導通路を円弧状の切欠き５１，５１，…として形成したものである。このように切欠き５１によって導通路を形成した場合でも、前述した第１の実施の形態と同様の作用効果を得ることができ、しかも各切欠き５１はＰＣカードの挿入側に位置しているから、この部分の強度を高めることができる。
【００６５】
また、図１８は第１の実施の形態に対応する第４の変形例を示すもので、この第４の変形例では、グランド電極１４の平板部１４Ａのうち各ばね性突起１５間に位置した部位に複数個の小孔５２，５２，…を整列させて穿設させたものである。このように各小孔５２によって導通路を形成した場合でも、前述した第１の実施の形態と同様の作用効果を得ることができ、しかも、各小孔５２によって、接着剤がカード側コネクタ側に導かれる面積を大きく確保することができ、グランド電極を含んで上パネルとカード側コネクタをより強固に固定することができる。
【００６６】
また、実施の形態では、接着剤を上パネル側接着膜１７（３１，４１，４３，４４）として上パネル４（２４）の下面に形成した場合について述べたが、本発明はこれに限らず、図１９、図２０に示す第５の変形例のように、接着膜１７′をカード側コネクタ１３の矩形状体１３Ａ上面に形成するようにしてもよい。
【００６７】
この場合にも、第１の実施の形態と同様に、接着膜１７′は、グランド電極１４を含んで上パネル４とカード側コネクタ１３とを密着性を高めた状態で接合でき、カード側コネクタ１３に対してグランド電極１４が浮き上がるのを防止でき、ＰＣカードの耐久性と信頼性を高めることができる。
【００６８】
また、前記第３、第４の変形例は、第１の実施の形態に用いたばね性突起１５を有するグランド電極１４に対して用いた場合について述べたが、本発明はこれに限らず、第２の実施の形態に用いたグランド電極２９に適用してもよいことは勿論である。
【００６９】
また、実施の形態では、ＰＣカードとして３２ビット，１６ビットの規格のものについて述べたが、例えば６４ビット、１３８ビットの規格のＰＣカードを、１６ビット用カードコネクタに使用する場合等、実施の形態による規格に限るものではない。
【００７０】
さらに、駆動電圧が３．３Ｖで１６ビットという特殊なカードスロットを備えたパーソナルコンピュータが存在するが、このようなパーソナルコンピュータでも同様な効果を発揮することができる。
【００７１】
【発明の効果】
以上詳述した如く、請求項１の本発明によれば、一方のパネルには、コネクタと対向する位置に接着膜を形成し、グランド電極には、一方のパネルに設けた接着膜をコネクタに導く導通路を設けたから、一方のパネル側に設けた接着膜は、グランド電極の導通路によって接着剤をコネクタ側に達し、上パネル、グランド電極、コネクタを密着性を高めた状態で接合する。これにより、グランド電極、コネクタ等の個々の部品の製造誤差、カードスロットへの着脱時等に、グランド電極がコネクタに対して浮き上がるのを防止し、ＰＣカードの耐久性と信頼性を高めることができる。
【００７２】
請求項２の発明では、グランド電極には複数個のばね性突起を形成し、導通路を平板部のうち隣り合うばね性突起間の平坦面に設けたから、接着膜は各ばね性突起の動作を規制することなく、グランド電極を含んで一方のパネルとコネクタとを固定することができる。
【００７３】
請求項３の発明では、グランド電極には複数個の突起を形成し、導通路を平板部のうち隣り合う突起間の平坦面に設けたから、該接着剤はグランド電極を含んで一方のパネルとコネクタとを強固に固定することができる。
【００７４】
請求項４の発明では、一方のパネルに設けられた接着膜は、グランド電極の導通路に対応した位置に突出部を有しているから、接着膜の突出部先端をグランド電極の導通路を通してコネクタ側まで浸入させることができ、該接着膜はグランド電極を含んで一方のパネルとコネクタを密着性を高めた状態で固定することができる。
【００７５】
請求項５の発明では、コネクタには、一方のパネルと対向する位置に接着膜を設け、グランド電極には、前記コネクタに設けた接着膜を一方のパネルに導く導通路を設けたから、コネクタ側に設けた接着膜は、グランド電極の導通路によって接着剤を一方のパネル側に達し、上パネル、グランド電極、コネクタを密着性を高めた状態で接合する。これにより、グランド電極、コネクタ等の個々の部品の製造誤差、カードスロットへの着脱時等に、グランド電極がコネクタに対して浮き上がるのを防止し、ＰＣカードの耐久性と信頼性を高めることができる。
【図面の簡単な説明】
【図１】第１の実施の形態によるＰＣカードを示す斜視図である。
【図２】第１の実施の形態によるＰＣカードを構成する枠状体、上パネル、カード側コネクタ、グランド電極を示す分解斜視図である。
【図３】図２中のグランド電極を拡大して示す斜視図である。
【図４】ＰＣカードの挿入側を図１中の矢示IV−IV方向からみた要部拡大の縦断面図である。
【図５】カード側コネクタと接着膜を設けた上パネルとを固定前の状態で示す拡大断面図である。
【図６】図４中のａ部を拡大して示す拡大断面図である。
【図７】第２の実施の形態によるＰＣカードを示す斜視図である。
【図８】第２の実施の形態によるＰＣカードを構成する枠状体、上パネル、カード側コネクタ、グランド電極を示す分解斜視図である。
【図９】ＰＣカードの挿入側を図７中の矢示IX−IX方向からみた要部拡大の縦断面図である。
【図１０】図９中のｂ部を拡大して示す拡大断面図である。
【図１１】第３の実施の形態によるＰＣカードを、カード側コネクタと接着膜を設けた上パネルとを固定前の状態で示す拡大断面図である。
【図１２】上パネル、グランド電極、カード側コネクタを固定した状態を示す拡大断面図である。
【図１３】第１の変形例によるＰＣカードを、カード側コネクタと接着膜を設けた上パネルとを固定前の状態で示す拡大断面図である。
【図１４】上パネル、グランド電極、カード側コネクタを固定した状態を示す拡大断面図である。
【図１５】第２の変形例によるＰＣカードを、カード側コネクタと接着膜を設けた上パネルとを固定前の状態で示す拡大断面図である。
【図１６】上パネル、グランド電極、カード側コネクタを固定した状態を示す拡大断面図である。
【図１７】第３の変形例によるグランド電極を示す斜視図である。
【図１８】第４の変形例によるグランド電極を示す斜視図である。
【図１９】第５の変形例によるＰＣカードを、上パネルと接着膜を設けたカード側コネクタとを固定前の状態で示す拡大断面図である。
【図２０】上パネル、グランド電極、カード側コネクタを固定した状態を示す拡大断面図である。
【符号の説明】
１，２１  ＰＣカード
３，２３  枠状体
３Ｃ，２３Ｃ  コネクタ取付口
４，２４  上パネル
５，２５  下パネル
７  回路基板
１３  カード側コネクタ
１４，２９  グランド電極
１４Ａ，２９Ａ  平板部
１４Ｅ，２９Ｄ  平坦面
１５  ばね性突起
１６  導通孔（導通路）
１７，３１，４１，４３，４４  上パネル側接着膜
４１Ａ，４３Ａ，４４Ａ  突出部
２９Ｃ  突起
５１  切欠き（導通路）
５２  小孔（導通路）
【図１】
0003681545.tif 000002
【図２】
0003681545.tif 000003
【図３】
0003681545.tif 000004
【図４】
0003681545.tif 000005
【図５】
0003681545.tif 000006
【図６】
0003681545.tif 000007
【図７】
0003681545.tif 000008
【図８】
0003681545.tif 000009
【図９】
0003681545.tif 000010
【図１０】
0003681545.tif 000011
【図１１】
0003681545.tif 000012
【図１２】
0003681545.tif 000013
【図１３】
0003681545.tif 000014
【図１４】
0003681545.tif 000015
【図１５】
0003681545.tif 000016
【図１６】
0003681545.tif 000017
【図１７】
0003681545.tif 000018
【図１８】
0003681545.tif 000019
【図１９】
0003681545.tif 000020
【図２０】
0003681545.tif 000021